(57)【要約】【課題】回路遮断器の結線方式による端子部構造を容易に装着又は交換できるケースを提供する。【解決手段】端子構造変更式一体型ドアを有する回路遮断器のケースは、内部に回路遮断のための部品を収容するケースと、複数の端子タイプに対して共通のフラットフォームを提供する１つの端子ブロック部と、前記ケースと一体に成形されて連結され、前記ケースに結合される閉位置と前記複数の端子タイプから選択された端子の設置のために前記ケースと接続された状態で前記結合が解除される開位置とに操作できるドアと、から構成される。【選択図】図１
2008226808.tif 000002
【特許請求の範囲】
【請求項１】
内部に回路遮断のための部品を収容するケースと、
複数の端子タイプに対して共通のフラットフォームを提供する１つの端子ブロック部と、
前記ケースと一体に成形されて連結され、前記ケースに結合される閉位置と前記複数の端子タイプから選択された端子の設置のために前記ケースと接続された状態で前記結合が解除される開位置とに操作できるドアと、
から構成されることを特徴とする一体型ドアを有する回路遮断器のケース。
【請求項２】
前記ケースと前記ドアの連結部分は、ヒンジの役割が果たせるように前記ケース及び前記ドアの厚さより薄く形成されたヒンジ部を含むことを特徴とする、請求項１に記載の一体型ドアを有する回路遮断器のケース。
【請求項３】
前記ケースと前記ドアの連結部分は、
ヒンジの役割が果たせるように前記ケース及び前記ドアの厚さより薄く形成されたヒンジ部と、
前記ヒンジ部を補強するための前記ヒンジ部より厚い少なくとも１つの補強接続部と、
を含むことを特徴とする、請求項１に記載の一体型ドアを有する回路遮断器のケース。
【請求項４】
前記ドアは、一体に成形された前記端子ブロック部を備えることを特徴とする、請求項１に記載の一体型ドアを有する回路遮断器のケース。
【請求項５】
前記ケースは、一体に成形された前記端子ブロック部を備えることを特徴とする、請求項１に記載の一体型ドアを有する回路遮断器のケース。
【請求項６】
前記端子ブロック部は、底面に裏面型端子又はプラグイン型端子を挿入するための挿入口を形成するために取り外しできるように他の底面より弱い部分を有することを特徴とする、請求項１に記載の一体型ドアを有する回路遮断器のケース。
【請求項７】
前記弱い部分は、他の底面より薄く形成された部分であることを特徴とする、請求項６に記載の一体型ドアを有する回路遮断器のケース。
【請求項８】
前記弱い部分は、取り外しやすくするために、前記挿入口の枠形状に沿って複数の孔が穿孔されていることを特徴とする、請求項６に記載の一体型ドアを有する回路遮断器のケース。
【請求項９】
前記ケースと前記ドアの結合による閉状態を維持するために、前記ケースと前記ドアは、前記結合又は解除が行われる部位に結合機構をさらに含むことを特徴とする、請求項１に記載の一体型ドアを有する回路遮断器のケース。
【請求項１０】
前記結合機構は、
前記ケースに備えられる結合凹部と、
前記ドアに備えられ、前記結合凹部に挿入されて前記ケースと前記ドアの結合を維持する結合突部と、
から構成されることを特徴とする、請求項９に記載の一体型ドアを有する回路遮断器のケース。
【請求項１１】
前記結合機構は、
前記ケースに備えられる結合突部と、
前記ドアに備えられ、前記結合突部が挿入されて前記ケースと前記ドアの結合を維持する結合凹部と、
から構成されることを特徴とする、請求項９に記載の一体型ドアを有する回路遮断器のケース。
【請求項１２】
前記結合機構は、
前記ドアと前記ケースに連通するように備えられるねじ孔部と、
前記ねじ孔部に螺合される固定ねじと、
から構成されることを特徴とする、請求項９に記載の一体型ドアを有する回路遮断器のケース。
【発明の詳細な説明】
【技術分野】
【０００１】
本発明は、低圧回路遮断器（low voltage circuit breaker：以下、回路遮断器という）、いわゆる、配線用遮断器（Mold Cased Circuit Breaker）に関し、特に、結線方式によって端子部構造を簡便に可変できる一体型ドア（monolithic door）を有する回路遮断器のケースに関する。
【背景技術】
【０００２】
電力システムに適用される回路遮断器は、電源側及び負荷側の電線を結線するための端子部として、結線方式によって、表面型端子部、裏面型端子部、プラグイン型端子部、及びラグ型端子部を備える。
【０００３】
以下、このような結線方式によって多様な端子部に交換できる構造の回路遮断器、及びそのケースに関する従来技術を添付図面を参照して説明する。
【０００４】
図９は、従来の回路遮断器及びそのケースを示す図であり、端子部を示すために一部を切開した部分切開斜視図である。図１０は、従来の回路遮断器とそのケースを示す図であり、端子ブロックを端子部から分離する動作又は端子ブロックを端子部に組み立てる動作を示す動作状態図である。
【０００５】
図９に示す従来の回路遮断器１において、ケースは、下部ケース２と上部蓋体３から構成され、符号６は、回路遮断器１の前面及び背面に備えられ、電源側及び負荷側の外部電線を接続するための端子ブロックである。
【０００６】
図１０を参照して従来の回路遮断器１に端子ブロック６を装着する（組み立てる）動作を説明すると、図１０は、表面型端子部（いわゆる、一般型端子部）を例として示し、端子ブロック６の上にナット７が搭載された状態で、次に端子ブロック６を図の後ろ向きの矢印方向に挿入して装着する。
【０００７】
より詳しくは、回路遮断器１の前面側及び背面側に露出し、３相の相毎に１つずつ備えられる固定接触子端子部Ｔの下の下部ケース２上に備えられる装着レール（符号なし）に、端子ブロック６の上部板と下部板間の両側凹部により形成されるレール接続部（符号なし）を嵌合して支持することにより、従来の回路遮断器１に端子ブロック６を装着する（組み立てる）。
【０００８】
ここで、端子ブロック６の前記下部板上に備えられる端子ブロック突部６ａにより端子ブロック６の前記レール接続部と下部ケース２上の前記装着レール間の接続維持力が強化される。
【０００９】
図１０の符号３は、図９を参照して説明した上部蓋体である。
【００１０】
以下、図１１〜図１４を参照して、従来技術と本発明において、回路遮断器に設けられる端子ブロックの多様な種類を説明する。
【００１１】
図１１に示す端子ブロックは、電源側又は負荷側の外部電線がその上部面（表面）に接続される形態の端子ブロックである表面型端子ブロック６−１であり、その上部面にナット（図１０の符号７を参照）が組み立てられている点が特徴である。
【００１２】
図１２に示す端子ブロックは、電源側又は負荷側の外部電線が端子ブロックの下部（図示せず）に延びる裏面型短端子及び長端子（図１６及び図１７の符号６−２ａ、６−２ｂを参照）に接続される形態の端子ブロックである裏面型（下部接続型）端子ブロック６−２であり、表面型端子ブロック６−１とは異なり、前記ナットを備えず、前記裏面型短端子及び長端子の上端六角形端部が挿入される挿入口が備えられる点が特徴である。
【００１３】
図１３に示す端子ブロックは、電源側又は負荷側の外部電線が端子ブロック（図示せず）の下部に延びるプラグイン型端子（図１９の符号６−３ａを参照）に接続される形態の端子ブロックであるプラグイン型端子ブロック６−３であり、表面型端子ブロック６−１とは異なり、前記ナットを備えず、前記プラグイン型端子の上端六角形端部が挿入される挿入口が備えられる点が特徴である。
【００１４】
図１４に示す端子ブロックは、電源側又は負荷側の外部電線がラグ（図示せず）（図２１の符号６−４ａを参照）内で接続される形態の端子ブロックであるラグ型端子ブロック６−４であり、上部面が固定接触子端子部（図１０の符号Ｔを参照）の設置に適するように平たい形状に備えられる点が特徴である。
【００１５】
図１５は、従来の回路遮断器とそのケースを示す図であり、表面型端子ブロックが装着された端子部に外部電線を接続する動作を示す動作状態図である。
【００１６】
表面型端子ブロックを装着する動作は、図１０を参照して前述した通りである。
【００１７】
このように表面型端子ブロックが装着された状態で、回路遮断器の下部ケース２の前背面に露出した端子部に電源側又は負荷側の外部電線（より詳しくは、３つの電源側３相用電線と３つの負荷側３相用電線の全６つの電線）を接続する動作は、次の通りである。
【００１８】
すなわち、図示されたように、露出した固定接触子端子部（符号なし）上に外部電線Ｗの電線端子Ｗ１を配置する。
【００１９】
次に、電線端子Ｗ１を貫通して締結ねじＳを前記固定接触子端子部に形成されたねじ接続口（符号なし）に結合する。
【００２０】
それにより、外部電線Ｗと前記固定接触子端子部が電気的に接続して接続動作が完了する。
【００２１】
以下、図１６〜図１８を参照して、従来の裏面型端子ブロックとこれを装着した従来の回路遮断器のケース構成、及び従来の裏面型端子ブロックを従来の回路遮断器のケースに装着する動作について説明する。
【００２２】
図１８は、従来の回路遮断器とケースの下面を示す斜視図であり、表面型端子ブロックを除去して裏面型端子ブロックと裏面型端子を装着する動作を示す。
【００２３】
図１８を参照して、表面型端子ブロックが装着された状態で表面型端子ブロックを除去して裏面型端子ブロックを装着する動作について説明すると、まず、表面型端子ブロック６−１を矢印方向に除去する。
【００２４】
その後、表面型端子ブロック６−１を裏面型端子ブロック６−２に交換し、除去した表面型端子ブロック６−１が装着されていた部分に装着する。
【００２５】
次に、裏面型短端子６−２ａ又は裏面型長端子６−２ｂの上端六角接続部を裏面型端子ブロック６−２の下部から上方に挿入する。
【００２６】
ここで、裏面型端子ブロック６−２内の六角接続口と前記上端六角接続部とを確実に接続するために、裏面型短端子６−２ａ又は裏面型長端子６−２ｂの上端六角接続部を回転して挿入することにより、裏面型端子６−２ａ又は６−２ｂと裏面型端子ブロック６−２とを接続する。
【００２７】
最後に、締結ねじＳを前記固定接触子端子部（図示せず）のねじ接続口と裏面型端子６−２ａ又は６−２ｂの上端部（頭部）に形成された雌ねじ孔部（図示せず）に挿入して螺合する。
【００２８】
これにより、裏面型端子６−２ａ又は６−２ｂと裏面型端子ブロック６−２との接続が確実に維持される。
【００２９】
なお、裏面型端子６−２ａ又は６−２ｂに外部電線を接続する方法としては、裏面型端子６−２ａ又は６−２ｂの下端部に形成された電線接続口から電線を差し込んで固定する方法がある。
【００３０】
他の方法としては、母線（busbar）形態の電線を前記下端部に当てて電線接続口からボルトが前記母線を通過するようにナットに固定する方法もある。
【００３１】
以下、図１９及び図２０を参照して、従来のプラグイン型端子ブロックとこれを装着した従来の回路遮断器のケース構成、及び従来のプラグイン型端子ブロックを従来の回路遮断器のケースに装着する動作について説明する。
【００３２】
図１９は、従来の回路遮断器とそのケースの下面を示す斜視図であり、表面型端子ブロックを除去してプラグイン型端子ブロックとプラグイン型端子を装着する動作を示す。
【００３３】
図１９を参照して、表面型端子ブロックが装着された状態で表面型端子ブロックを除去してプラグイン型端子ブロックを装着する動作を説明すると、まず、表面型端子ブロック６−１を矢印方向に除去する。
【００３４】
その後、表面型端子ブロック６−１をプラグイン型端子ブロック６−３に交換し、除去した表面型端子ブロック６−１が装着されていた部分に装着する。
【００３５】
次に、プラグイン型端子６−３ａの上端六角接続部をプラグイン型端子ブロック６−３の下部から上方に挿入し、プラグイン型端子６−３ａとプラグイン型端子ブロック６−３を接続する。
【００３６】
最後に、締結ねじＳを前記固定接触子端子部（図示せず）のねじ接続口とプラグイン型端子６−３ａの上端部（頭部）に形成された雌ねじ孔部（図示せず）に挿入して螺合させる。
【００３７】
従って、プラグイン型端子６−３ａとプラグイン型端子ブロック６−３の接続が確実に維持される。
【００３８】
以下、図２０を参照して、従来のプラグイン型端子ブロックとプラグイン型端子を装着した回路遮断器とそのケースをプラグイン接続台に接続する動作について説明する。
【００３９】
図２０において、プラグイン接続台Ｂは、プラグイン型端子を装着した回路遮断器のプラグイン端子を接続するためのプラグイン挿入口Ｂ２と、電源側又は負荷側の外部電線を接続するための前背面の複数の接続端子Ｂ１とを有する。
【００４０】
図２０に示すプラグイン接続台Ｂは、従来のプラグイン型端子を装着した回路遮断器のケースだけでなく、本発明によるプラグイン型端子を装着した回路遮断器のケースも接続できる接続台である。
【００４１】
このようなプラグイン接続台Ｂにプラグイン型端子を装着した回路遮断器のプラグイン端子を接続する動作は、図２０に示すように、プラグイン接続台Ｂの上方から回路遮断器のプラグイン端子をプラグイン挿入口Ｂ２に挿入されるように加圧して押し込むことにより簡単に行われる。
【００４２】
以下、図２１を参照して従来技術によるラグ型端子ブロックとラグを回路遮断器のケースに接続する動作について説明する。
【００４３】
図２１を参照して、従来の回路遮断器１にラグ型端子ブロック６−４を装着する（組み立てる）動作について説明すると、まず、ラグ型端子ブロック６−４を図の後方向に挿入して装着する。
【００４４】
より詳しくは、回路遮断器１の前面側及び背面側に露出して３相の相毎に１つずつ備えられる固定接触子端子部Ｔの下の下部ケース２上に備えられる装着レール（符号なし）に、ラグ型端子ブロック６−４の上部板と下部板間の両側凹部により形成されるレール接続部（符号なし）を挿入して支持することにより、従来の回路遮断器１にラグ型端子ブロック６−４を装着する（組み立てる）動作が行われる。
【００４５】
その後、ラグ６−４ａを固定接触子端子部Ｔの上部に位置するように図の後方向に挿入して装着することにより完了する。
【発明の開示】
【発明が解決しようとする課題】
【００４６】
前述したように構成されて装着される（組み立てられる）従来の端子構造変更式回路遮断器のケースは、回路遮断器のメーカ又は回路遮断器の設置施工者にとって、端子ブロックをそれぞれの結線方式に合わせて種類別に備えていなければならないので、在庫の負担があり、在庫を維持できない場合は必要に応じた適切な供給が困難であるという問題がある。
【００４７】
また、従来の端子構造変更式回路遮断器のケースにおいて、それぞれの種類別の端子ブロックが非常に類似した構造を有しているため、所定の教育を受けた人や分類の経験がある人でないと、端子ブロックを正確に分類して使用することが容易ではないという問題がある。
【００４８】
また、従来の端子構造変更式回路遮断器のケースにおいて、それぞれの種類別の端子ブロックは、横又は縦が１〜３センチメートル程度の小さい部品であり、この部品が回路遮断器のケースと独立して製造されて組み立てられるので、端子ブロックの紛失の恐れがある。
【００４９】
従って、このような紛失を防止する管理のために、回路遮断器のメーカ又は回路遮断器の設置施工者にとって、人的、時間的、物的投資が必要であるという問題がある。
【００５０】
また、使用中に端子ブロックが離脱することを防止するために、端子ブロックとケースとの離脱防止構造、例えば、強度が高い離脱防止用突部を備えることが一般的であるため、使用中に端子ブロックを交換する場合、大きな力が必要であり、さらに、工具を利用して端子ブロックを分離するときに端子ブロック又は回路遮断器のケースが破損するという問題がある。
【００５１】
また、このような煩わしい交換を容易にするために、端子ブロックとケースとの離脱防止構造を小さい外力でも容易に離脱可能な構造に変えると、端子ブロックが頻繁に離脱するという問題が発生する。
【００５２】
本発明は、前述したような従来技術の問題を解消するために提案されたものであり、本発明の目的は、回路遮断器のメーカ又は設置施工者にとって、結線方式による多様な端子ブロックの在庫を保有する必要がなく、紛失を防止するための管理が不要であり、端子ブロックとケースとの離脱防止が確実であり、結線方式を変えるための構造及び方法が非常に簡便な端子構造変更式一体型ドアを有する回路遮断器のケースを提供することにある。
【課題を解決するための手段】
【００５３】
このような目的を達成するために、本発明による端子構造変更式一体型ドアを有する回路遮断器のケースは、内部に回路遮断のための部品を収容するケースと、複数の端子タイプに対して共通のフラットフォームを提供する１つの端子ブロック部と、前記ケースと一体に成形されて連結され、前記ケースに結合される閉位置と前記複数の端子タイプから選択された端子の設置のために前記ケースと接続された状態で前記結合が解除される開位置とに操作できるドアと、から構成されることを特徴とする。
【００５４】
前記本発明の目的、並びにこれを達成する本発明の構成及びその作用効果は、添付した本発明の好ましい実施形態による図面を参照して後述される説明に基づいて明確になるであろう。
【発明の効果】
【００５５】
本発明による端子構造変更式一体型ドアを有する回路遮断器のケースは、端子ブロックがドア又はケースに一体に成形されて備えられるので、回路遮断器のメーカ又は設置施工者にとって、結線方式による多様な端子ブロックの在庫を保有する必要がないという効果がある。
【００５６】
また、本発明による端子構造変更式一体型ドアを有する回路遮断器のケースは、端子ブロックがドア又はケースに一体に成形されて備えられるので、紛失を防止するための管理が不要であるという効果がある。
【００５７】
また、本発明による端子構造変更式一体型ドアを有する回路遮断器のケースは、ケース又はケースに一体に接続されたドアに端子ブロックが一体に成形されて備えられるので、端子ブロックとケースが確実に離脱防止できるという効果がある。
【００５８】
また、本発明による端子構造変更式一体型ドアを有する回路遮断器のケースは、ケース又はケースに一体に接続されたドアに端子ブロックが一体に成形されて備えられるので、結線方式を変えるために、必要な結線方式によるナット又は端子のみを交換して設置すればよいので、その構造と方法が非常に簡単であるという効果がある。
【発明を実施するための最良の形態】
【００５９】
以下、添付図面を参照して本発明による一体型ドアを有する回路遮断器のケースについて説明する。
【００６０】
まず、図１〜図４を参照して本発明による端子構造変更式一体型ドアを有する回路遮断器のケース構成とドアの開閉動作について説明する。
【００６１】
図１は、ドアが完全に開いた状態の本発明による回路遮断器のケースを示す斜視図であり、図２は、ドアの開閉途中の状態の本発明による回路遮断器のケースを示す斜視図であり、円内は、ドアと回路遮断器の下部ケースとの接続部を拡大して示している。図３は、ドアが完全に閉じた状態の本発明による回路遮断器のケースを示す斜視図であり、図４は、ドアが完全に開いた状態の本発明による回路遮断器のケースを斜め下から見た斜視図である。
【００６２】
本発明による端子構造変更式一体型ドアを有する回路遮断器１のケース（以下、ケースと略称する）は、ケース２、３、端子ブロック部６、及びドア４から構成される。
【００６３】
ケース２、３は、内部に回路遮断のための部品を収容し、下部ケース２と上部蓋体３とから構成される。
【００６４】
ここで、回路遮断のための部品とは、可動接触子、固定接触子、開閉機構、トリップ機構、及び消弧機構などをいい、これは周知の構成であるため、さらなる説明は省略する。
【００６５】
端子ブロック部６は、図３及び図４に示すように、ケース２、３に、より詳しくは、ドア４に一体に成形されて備えられる。
【００６６】
従来の端子ブロックは、別途に製造されてケースに組み立てられる構造であったが、本発明の端子ブロック部６は、ケース２、３の下部ケース２に、より詳しくは、ドア４に一体に成形されて備えられる構造であるため、別途の組立工程が不要であるという点が大きな相違点である。
【００６７】
さらに、端子ブロック部６は、ドア４に一体に成形されて備えられるのではなく、下部ケース２に一体に成形されて備えられる他の実施形態も可能である。
【００６８】
ここで、ドア４は、相（pole）別絶縁隔壁と下部ケース２との接続構造のみを有する構成でもよい。
【００６９】
端子ブロック部６は、複数の端子タイプ、例えば、表面型、裏面型、プラグイン型、ラグ型に対して１つの共通フラットフォームを提供する。
【００７０】
すなわち、端子ブロック部６には、さらなる構成を必要とせずに、表面型、裏面型、プラグイン型、ラグ型の端子を装着できる。
【００７１】
このような作用効果は、図５〜図８を参照して後述する多様なタイプの端子の装着（組立）動作の説明によって明確に理解できる。
【００７２】
ドア４は、ケース２、３に、より詳しくは、下部ケース２に一体に成形されて接続され、前記ケースに結合される閉位置と、前記複数の端子タイプから選択された端子の設置のために前記ケースと接続された状態で前記結合が解除される開位置とに操作可能である。
【００７３】
ドア４が開位置であるときは、図１、図２、及び図４に示すように、固定接触子端子部Ｔの上下面と前面及び左右側面が回路遮断器１の前面から見て露出するが、ドア４が閉位置であるときは、図３に示すように固定接触子端子部Ｔの上面と前面のみが回路遮断器１の前面から見て露出する。
【００７４】
図１〜図４の符号２ａは、本発明によるドア４及び端子ブロック部６を収容するための凹部であり、符号３ａは、締結ねじを締結するためのドライバ挿入口である。
【００７５】
前述したように、本発明によるケースにおいて、ケース２、３、より詳しくは、下部ケース２とドア４は一体に構成されているが、図２の拡大円内に示すように、前記ケースとドア４の連結部分は、ドア４の開閉時にヒンジの役割が果たせるように、前記ケース及びドア４の厚さより薄いヒンジ部５ａを含む。
【００７６】
図２の拡大円内に示すように、本発明によるケースにおいて、前記ケースとドア４の連結部分は、ヒンジ部５ａを補強するためにヒンジ部５ａより厚い少なくとも１つの補強接続部５ｂをさらに含む。
【００７７】
本実施形態では、３つの補強接続部を備える。
【００７８】
このような補強接続部５ｂは、数回のドア４の開閉によりヒンジ部５ａが劣化して損傷する現象を防止するために備えられる。
【００７９】
一方、前記ケースと前記ドアの結合による閉状態を維持するために、図４に示すように、ケース２、３、より詳しくは、下部ケース２とドア４は、結合又は解除が行われる部位に結合機構２ｂ、４ａを備える。
【００８０】
前記結合機構は、ケース、より詳しくは、下部ケース２に備えられる結合凹部２ｂ、及びドア４に備えられて結合凹部２ｂに挿入され、前記ケース、より詳しくは、下部ケース２とドア４の結合（つまり、ドア４を閉じた閉状態）を維持するための結合突部４ａを備える。
【００８１】
また、図４に示す実施形態において、結合突部４ａをドア４の上部に備え、結合凹部２ｂを下部ケース２の対応位置に備えているが、図１において、前記結合凹部をドア４の後面に備え、前記結合突部を凹部２ａの壁面に備える変形実施形態、又は、その位置を互いに変えて備える変形実施形態も可能である。
【００８２】
前記結合機構は、前記ドアと前記ケースに連通するねじ孔部を備え、前記ねじ孔部に螺合される固定ねじを備える他の実施形態も可能である。
【００８３】
以下、図１〜図４に示す本発明によるケースのドア開閉動作について説明する。
【００８４】
まず、ドアを開く動作について説明する。
【００８５】
図３に示すようなドア閉状態において、ドア４の両側壁を両手で把持して反時計方向（図の下方）に回転させると、ドア４の結合突部４ａが下部ケース２の結合凹部２ｂから離脱することにより、ドア４が図２に示す中間状態を経て図１又は図４に示す完全開状態となる。
【００８６】
前記結合凹部をドア４の背面に備え、前記結合突部を凹部２ａの壁面に備える変形実施形態、又は、互いに位置を変える変形実施形態におけるドアの開放動作も、前述したように、ドアの両側壁を両手で把持して反時計方向に回転させる方法で行われる。
【００８７】
前記ドアと前記ケースに連通するねじ孔部と、前記ねじ孔部に螺合される固定ねじとから構成される変形実施形態におけるドアの開放動作は、固定ねじを解除した後、ドアを開放方向（反時計方向）に回転させることにより行われる。
【００８８】
以下、ドアを閉じる動作について説明する。
【００８９】
前記ドアを開く動作とは逆に、図１又は図４に示すような完全開状態において、ドア４の両側壁を両手で把持して時計方向（図の上方）に回転させる。
【００９０】
その後、ドア４の結合突部４ａが下部ケース２の結合凹部２ｂに挿入されるように、ドア４の下部を上方に加圧する。それにより、図２に示す中間状態を経て図３に示す閉状態となる。
【００９１】
前記結合凹部をドア４の背面に備え、前記結合突部を凹部２ａの壁面に備える変形実施形態、又は、互いに位置を変えて備える変形実施形態において、ドアを閉じる動作も、前述したように、ドアの両側壁を両手で把持して時計方向に回転させることにより行われる。
【００９２】
前記ドアと前記ケースに連通するねじ孔部と、前記ねじ孔部に螺合される固定ねじとから構成される変形実施形態におけるドアの閉鎖動作は、ドアを閉じる方向（時計方向）に回転させた後、固定ねじを締めることにより行われる。
【００９３】
以下、図５〜図８を参照して本発明によるケースと多様な端子の装着（組立）動作について説明する。
【００９４】
図５は、ドアが完全に開いた状態の本発明による回路遮断器のケースを斜め上から見た図であり、表面型端子用ナットを収納する動作を示す動作状態図である。
【００９５】
図６は、本発明による回路遮断器のケースにおいて、裏面型端子又はプラグイン型端子を装着するためにドアを開き、ドアから裏面型端子又はプラグイン型端子の貫挿のために六角部又は円形部を取り外す動作を示す動作状態図である。
【００９６】
図７は、本発明による回路遮断器のケースにおいて、端子の貫挿のための取り外し動作を完了した状態で、裏面型端子又はプラグイン型端子を下から挿入する動作状態を示す動作状態図であり、図８は、本発明による回路遮断器のケースにおいて、ラグを装着する動作を示す動作状態図である。
【００９７】
第１に、図５を参照して本発明によるケースに表面型端子用ナットを設置する動作について説明する。
【００９８】
本発明によるケースは、端子ブロック部がドア４に一体に成形されているため、従来のように、端子タイプによって端子ブロックを先に組み立てる動作が不要である。
【００９９】
従って、表面型端子を本発明によるケースに設置する場合、表面型端子用ナット７のみをドア４に一体に成形された前記端子ブロック部上に押し込んで装着することにより設置動作が完了する。
【０１００】
外部電線を前記表面型端子に接続する動作は、図１５を参照して前述した従来技術と同様であるので、詳しい説明を省略する。
【０１０１】
第２に、図６及び図７を参照して本発明によるケースに裏面型端子又はプラグイン型端子を装着する（組み立てる）動作について説明する。
【０１０２】
本発明によるケースは、図６に示すように、端子ブロック部の底面に裏面型端子又はプラグイン型端子を挿入するための挿入口を取り外して形成できるように他の底面より弱い部分を有することが特徴である。
【０１０３】
このような弱い部分は、端子ブロック部の他の底面より薄く形成して構成することができる。
【０１０４】
さらに、他の実施形態として、前記弱い部分は、取り外しやすくなるように、前記挿入口の枠形状に沿って複数の孔を穿孔して構成することもできる。
【０１０５】
このように構成された状態で、本発明によるケースに裏面型端子又はプラグイン型端子を装着する（組み立てる）動作は、裏面型端子又はプラグイン型端子が挿入される挿入口を形成する第１動作と、裏面型端子又はプラグイン型端子を前記形成された挿入口を介して下方から挿入する第２動作と、前記挿入された裏面型端子又はプラグイン型端子をねじで固定する第３動作とに区分される。
【０１０６】
図６を参照して第１動作について説明すると、前記弱い部分を刃物で切り取るか、前記挿入口の枠形状に沿って複数の孔が穿孔された部分をドライバなどで打つことにより、矢印で示す六角部Ｐ１又は円形部Ｐ２を取り外すことができる。
【０１０７】
その後、図７に示すように、裏面型端子６−２ｂ又はプラグイン型端子６−３ａを前述したように形成した前記挿入口を介して下方から挿入することにより第２動作が行われる。
【０１０８】
次に、第３動作は、ドライバ挿入口３ａから締結ねじ（図示せず）を裏面型端子６−２ｂ又はプラグイン型端子６−３ａの頭部分に形成された雌ねじ部に螺合することにより行われる。
【０１０９】
このような第３動作は、図１８及び１９を参照して説明した従来の裏面型端子及びプラグイン型端子の固定動作と同一である。
【０１１０】
外部電線を前記裏面型端子に接続する動作は、図１８を参照して説明した従来技術と同一であり、プラグイン型端子をプラグイン接続台に接続する動作は、図２０を参照して説明した従来技術と同一であるので、詳しい説明は省略する。
【０１１１】
第３に、図８を参照して本発明によるケースにラグを装着する（組み立てる）動作について説明する。
【０１１２】
本発明によるケースにラグを装着する（組み立てる）方法は、他の追加構成なしに、ドア４が閉じた状態で端子ブロック部６上にラグ６−４ａを押し込むか、又は、ラグ専用ナット（図示せず）を端子ブロック部６上に装着した状態で前記ラグ専用ナット上に押し込んで装着することにより行われる。
【０１１３】
以下、結線方式を変えるために、例えば、図８のラグ型端子を図７の裏面型端子に交換する動作について説明する。
【０１１４】
図８に示す動作とは逆に、ドア４を開いてピンセット、ドライバ、又は手でラグを除去し、ラグ専用ナットが装着された場合は、ラグ専用ナットをピンセット、ドライバ、又は手で除去した後、図６及び図７を参照して前述した裏面型端子の組立方法で裏面型端子を組み立ててドア４を閉じればよい。
【０１１５】
また、例えば、標準型端子が設置された状態で、結線方式を変えるために、標準型端子をプラグイン型端子に交換する場合、図５に示すように、まずドア４を開いて装着されたナット７をピンセット、ドライバ、又は手で除去した後、図６及び図７を参照して説明したプラグイン型端子の組立方法でプラグイン型端子を組み立ててドア４を閉じればよい。
【０１１６】
前述したように、本発明による端子構造変更式一体型ドアを有する回路遮断器のケースは、ドアを開くことにより交換する部分のみのアプローチが容易となり、交換対象、すなわち、ラグ及びナットを重力により容易に除去でき、端子ブロックがドア又はケースに一体に成形されているため、端子ブロックの交換が不要であるので、それに伴う作業が不要となり、結線方式の変更による端子の交換作業が非常に簡便になる。
【図面の簡単な説明】
【０１１７】
【図１】ドアが完全に開いた状態の本発明による回路遮断器のケースを示す斜視図である。
【図２】ドアの開閉途中の状態の本発明による回路遮断器のケースを示す斜視図であり、円内は、ドアと回路遮断器の下部ケースとの接続部の拡大図である。
【図３】ドアが完全に閉じた状態の本発明による回路遮断器のケースを示す斜視図である。
【図４】ドアが完全に開いた状態の本発明による回路遮断器のケースを斜め下から見た斜視図である。
【図５】ドアが完全に開いた状態の本発明による回路遮断器のケースを斜め上から見た図であり、表面型端子用ナットを収納する動作を示す動作状態図である。
【図６】本発明による回路遮断器のケースにおいて、裏面型端子又はプラグイン型端子を装着するためにドアを開き、ドアから裏面型端子又はプラグイン型端子の貫挿のために六角部又は円形部を取り外す動作を示す動作状態図である。
【図７】本発明による回路遮断器のケースにおいて、端子の貫挿のための取り外し動作を完了した状態で、裏面型端子又はプラグイン型端子を下から挿入する動作を示す動作状態図である。
【図８】本発明による回路遮断器のケースにおいて、ラグを装着する動作を示す動作状態図である。
【図９】従来の回路遮断器とそのケースを示す図であり、端子部を示すために一部を切開した部分切開斜視図である。
【図１０】従来の回路遮断器とそのケースを示す図であり、端子ブロックを端子部から分離する動作又は端子ブロックを端子部に組み立てる動作を示す動作状態図である。
【図１１】従来技術又は本発明に共通に適用できる多様な端子ブロックのタイプのうち、表面型端子ブロックの斜視図である。
【図１２】従来技術又は本発明に共通に適用できる多様な端子ブロックのタイプのうち、裏面型端子ブロックの斜視図である。
【図１３】従来技術又は本発明に共通に適用できる多様な端子ブロックのタイプのうち、プラグイン型端子ブロックの斜視図である。
【図１４】従来技術又は本発明に共通に適用できる多様な端子ブロックのタイプのうち、ラグ型端子ブロックの斜視図である。
【図１５】従来の回路遮断器とそのケースを示す図であり、表面型端子ブロックが装着された端子部に外部電線を接続する動作を示す動作状態図である。
【図１６】従来の回路遮断器とそのケースを示す図であり、裏面型端子ブロックを装着した状態の従来の回路遮断器のケースを示す正面図である。
【図１７】従来の回路遮断器とそのケースを示す図であり、裏面型端子ブロックを装着した状態の従来の回路遮断器のケースを示す側面図である。
【図１８】従来の回路遮断器とそのケースの下面を示す図であり、表面型端子ブロックを除去して裏面型端子ブロック及び裏面型端子を装着する動作を説明するための斜視図である。
【図１９】従来の回路遮断器とそのケースの下面を示す図であり、表面型端子ブロックを除去してプラグイン型端子ブロック及びプラグイン型端子を装着する動作を説明するための斜視図である。
【図２０】従来技術により、プラグイン型端子ブロック及びプラグイン型端子を装着した回路遮断器とそのケースをプラグイン接続台に接続する動作を示す動作状態図である。
【図２１】従来の回路遮断器とそのケースを示す図であり、ラグ型端子ブロック及びラグをケースに装着する動作を示す動作状態図である。
【符号の説明】
【０１１８】
１    回路遮断器
２    下部ケース
２ｂ    結合凹部
３    上部蓋体
４    ドア
４ａ    結合突部
５ａ    ヒンジ部
５ｂ    補強接続部
６    端子ブロック
６ａ    端子ブロック突部
６−１    表面型端子ブロック
６−２    裏面型（下部接続型）端子ブロック
６−２ａ    裏面型短端子
６−２ｂ    裏面型長端子
６−３    プラグイン型端子ブロック
６−４    ラグ型端子ブロック
６−４ａ    ラグ
７    ナット
【図１】
2008226808.tif 000003
【図２】
2008226808.tif 000004
【図３】
2008226808.tif 000005
【図４】
2008226808.tif 000006
【図５】
2008226808.tif 000007
【図６】
2008226808.tif 000008
【図７】
2008226808.tif 000009
【図８】
2008226808.tif 000010
【図９】
2008226808.tif 000011
【図１０】
2008226808.tif 000012
【図１１】
2008226808.tif 000013
【図１２】
2008226808.tif 000014
【図１３】
2008226808.tif 000015
【図１４】
2008226808.tif 000016
【図１５】
2008226808.tif 000017
【図１６】
2008226808.tif 000018
【図１７】
2008226808.tif 000019
【図１８】
2008226808.tif 000020
【図１９】
2008226808.tif 000021
【図２０】
2008226808.tif 000022
【図２１】
2008226808.tif 000023